【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
パイロットキャリアを含む受信信号を周波数領域の信号に変換する第１のフーリエ変換部と、
前記パイロットキャリアに作用する第１の伝送路特性を算出する伝送路特性算出部と、
前記伝送路特性算出部で算出された第１の伝送路特性を、変動周波数軸における複数の第１の区間のそれぞれと、遅延時間軸における複数の第２の区間のそれぞれとに対応する複数の領域の成分に分割する伝送路特性分割部と、
前記伝送路特性分割部で分割された成分の分布について、予め定められた変動周波数をとる遅延時間軸を対称軸として対称性を判断することで、所望の成分を推定して、当該所望の成分を抽出する、又は、前記伝送路特性分割部で分割された成分の分布について、予め定められた変動周波数をとる遅延時間軸を対称軸として対称性を判断することで、不要な繰り返し成分を推定し、当該不要な繰り返し成分を抑圧して、当該所望の成分を抽出する所望成分抽出部と、
前記所望成分抽出部で抽出された所望の成分を結合することで、第２の伝送路特性を生成する伝送路特性結合部と、
前記伝送路特性結合部で生成された第２の伝送路特性を用いて、前記第１のフーリエ変換部で変換された受信信号の伝送路歪みを補償する等化部と、を備えること
を特徴とする等化装置。
【請求項２】
前記複数の領域は、前記予め定められた変動周波数をとる遅延時間軸を対称軸として対称となるように配置されており、
前記所望成分抽出部は、前記予め定められた変動周波数をとる遅延時間軸を対称軸として対称となる二つの領域の成分の電力の対称性が小さい場合に、当該二つの領域の少なくとも何れか一方の成分に、前記不要な繰り返し成分が含まれると推定すること
を特徴とする請求項１に記載の等化装置。
【請求項３】
前記所望成分抽出部は、前記予め定められた変動周波数をとる遅延時間軸を対称軸として対称となる二つの領域の成分の電力の差分が、予め定められた閾値よりも大きい場合に、前記対称性が小さいと判断すること
を特徴とする請求項２に記載の等化装置。
【請求項４】
前記所望成分抽出部は、前記二つの領域のうち電力の大きい方の成分に、前記不要な繰り返し成分が含まれると推定すること
を特徴とする請求項２又は３に記載の等化装置。
【請求項５】
前記所望成分抽出部は、前記不要な繰り返し成分が含まれていると推定した領域の成分をゼロにすること
を特徴とする請求項２から４の何れか一項に記載の等化装置。
【請求項６】
前記所望成分抽出部は、前記予め定められた変動周波数をとる遅延時間軸を対称軸として対称となる二つの領域の成分の電力に基づいて、前記不要な繰り返し成分の含有比率を算出し、当該含有比率が高い領域ほど小さな値となる抑圧比を算出し、当該算出された抑圧比を前記伝送路特性分割部で分割された成分に乗算すること
を特徴とする請求項２から４の何れか一項に記載の等化装置。
【請求項７】
前記所望成分抽出部は、
前記伝送路特性分割部で分割された成分から雑音成分の電力を算出し、
前記予め定められた変動周波数をとる遅延時間軸を対称軸として対称となる二つの領域の成分の電力から、前記雑音成分の電力を減算した後に、前記対称性を判断すること
を特徴とする請求項２から６の何れか一項に記載の等化装置。
【請求項８】
前記伝送路特性分割部は、前記変動周波数軸における分割に複数の第１のフィルタを用い、
前記伝送路特性結合部は、前記変動周波数軸における結合に第１の加算器を用いること
を特徴とする請求項１から７の何れか一項に記載の等化装置。
【請求項９】
前記伝送路特性分割部は、前記変動周波数軸における分割にフーリエ変換を用い、
前記伝送路特性結合部は、前記変動周波数軸における結合に逆フーリエ変換を用いること
を特徴とする請求項１から７の何れか一項に記載の等化装置。
【請求項１０】
前記伝送路特性分割部は、前記遅延時間軸における分割に逆フーリエ変換を用い、
前記伝送路特性結合部は、前記遅延時間軸における結合にフーリエ変換を用いること
を特徴とする請求項１から９の何れか一項に記載の等化装置。
【請求項１１】
前記伝送路特性分割部は、前記遅延時間軸における分割に複数の第２のフィルタを用い、
前記伝送路特性結合部は、前記遅延時間軸における結合に第２の加算器を用いること
を特徴とする請求項１から９の何れか一項に記載の等化装置。
【請求項１２】
前記伝送路特性分割部は、
前記伝送路特性算出部で算出された第１の伝送路特性を、前記変動周波数軸における予め定められた複数の第３の区間の成分に分割するキャリア分割部と、
前記キャリア分割部で分割された成分を逆フーリエ変換することで、前記遅延時間軸方向における分割を行う複数の逆フーリエ変換部と、を備え、
前記伝送路特性結合部は、
前記所望成分抽出部で不要な繰り返し成分が抑圧された後の成分を、フーリエ変換することで、前記遅延時間軸における結合を行う第２のフーリエ変換部と、
前記第２のフーリエ変換部で結合された成分を、前記変動周波数軸において加算することで結合するキャリア結合部と、を備えること
を特徴とする請求項１から９の何れか一項に記載の等化装置。
【請求項１３】
前記キャリア分割部は、オーバーラップ区間が生じるように、前記伝送路特性算出部で算出された第１の伝送路特性を、前記複数の第３の区間の成分に分割し、
前記伝送路特性分割部は、前記キャリア分割部で分割された成分に、予め定められた窓関数を乗算する窓関数乗算部をさらに備え、
前記複数の逆フーリエ変換部は、前記窓関数乗算部で処理された成分を逆フーリエ変換し、
前記キャリア結合部は、前記第２のフーリエ変換部で変換された成分をオーバーラップして結合すること
を特徴とする請求項１２に記載の等化装置。
【請求項１４】
前記伝送路特性分割部は、
前記伝送路特性算出部で算出された第１の伝送路特性を、前記複数の第１の区間に含まれるある区間の成分に分割するフィルタ部と、
前記フィルタ部で分割された成分を、前記複数の第２の区間の成分に分割する逆フーリエ変換を行う第２のキャリア逆フーリエ変換部と、
前記第２のキャリア逆フーリエ変換部で分割された、前記複数の第２の区間の各々の成分を、前記変動周波数軸において予め定められた第１のシフト量のシフトを行い、かつ、前記遅延時間軸において予め定められた第２のシフト量の巡回シフトを行うことで、前記変動周波数軸における前記ある区間とは異なる別の区間の、前記遅延時間軸における前記複数の第２の区間の各々の成分とする複数の回転部と、を複数備えること
を特徴とする請求項１から１０、１２及び１３の何れか一項に記載の等化装置。
【請求項１５】
前記伝送路特性分割部は、
前記伝送路特性算出部で算出された第１の伝送路特性の成分のうち、変動周波数の絶対値が予め定められた閾値よりも小さい成分を、前記所望成分抽出部での処理の対象とはしないこと
を特徴とする請求項１から１４の何れか一項に記載の等化装置。
【請求項１６】
前記伝送路特性算出部は、前記第１の伝送路特性において、前記パイロットキャリアが含まれないキャリア周波数の成分をゼロにすること
を特徴とする請求項１から１５の何れか一項に記載の等化装置。
【請求項１７】
前記伝送路特性結合部は、
前記結合された成分を周波数領域の信号に変換した後に、前記パイロットキャリアが含まれないキャリア周波数の成分をゼロにすることで、前記第２の伝送路特性を生成すること
を特徴とする請求項１から１５の何れか一項に記載の等化装置。
【請求項１８】
パイロットキャリアを含む受信信号を周波数領域の信号に変換する第１のフーリエ変換過程と、
前記パイロットキャリアに作用する第１の伝送路特性を算出する伝送路特性算出過程と、
前記伝送路特性算出過程で算出された第１の伝送路特性を、変動周波数軸における複数の第１の区間のそれぞれと、遅延時間軸における複数の第２の区間のそれぞれとに対応する複数の領域の成分に分割する伝送路特性分割過程と、
前記伝送路特性分割過程で分割された成分の分布について、予め定められた変動周波数をとる遅延時間軸を対称軸として対称性を判断することで、所望の成分を推定し、当該所望の成分を抽出する、又は、前記伝送路特性分割過程で分割された成分の分布について、予め定められた変動周波数をとる遅延時間軸を対称軸として対称性を判断することで、不要な繰り返し成分を推定し、当該不要な繰り返し成分を抑圧して、当該所望の成分を抽出する所望成分抽出過程と、
前記所望成分抽出過程で抽出された所望の成分を結合することで、第２の伝送路特性を生成する伝送路特性結合過程と、
前記伝送路特性結合過程で生成された第２の伝送路特性を用いて、前記第１のフーリエ変換過程で変換された受信信号の伝送路歪みを補償する等化過程と、を有すること
を特徴とする等化方法。
【手続補正２】
【補正対象書類名】明細書
【補正対象項目名】０１０２
【補正方法】変更
【補正の内容】
【０１０２】
実施の形態５におけるキャリア逆フーリエ変換部は、実施の形態１に示した第１〜第Ｍのキャリア逆フーリエ変換部１３２−１〜１３２−Ｍ、実施の形態２に示した第１〜第Ｍのキャリア逆フーリエ変換部２３２−１〜２３２−Ｍ、実施の形態３に示した第１〜第Ｍ−１のキャリア逆フーリエ変換部３３２−１〜３３２−（Ｍ−１）、及び、実施の形態４に示したキャリア逆フーリエ変換部４３３に置き換えることができる。
また、実施の形態５におけるキャリアフーリエ変換部は、実施の形態１に示したキャリアフーリエ変換部１６２、実施の形態２に示した第１〜第Ｍのキャリアフーリエ変換部２６２−１〜２６２−Ｍ、及び、実施の形態３に示したキャリアフーリエ変換部３６２に置き換えることができる。